【誤訳訂正書】
【提出日】平成25年5月15日(2013.5.15)
【誤訳訂正１】
【訂正対象書類名】特許請求の範囲
【訂正対象項目名】全文
【訂正方法】変更
【訂正の内容】
【特許請求の範囲】
【請求項１】
少なくとも１つの官能性ハロゲン化物基及び少なくとも１つの官能性ホウ素基を有する（ヘテロ）芳香族化合物をアリール−アリールＣ−Ｃカップリングの形成下で重合するため、又は少なくとも１つの第一の及び少なくとも１つの第二の（ヘテロ）芳香族化合物をアリール−アリールＣ−Ｃカップリングの形成下で共重合するための方法において、第一の化合物が少なくとも２つの官能性ハロゲン化物基を有し、かつ第二の化合物が少なくとも２つの官能性ホウ素基を有し、前記重合が、
ａ）パラジウム触媒及び有機ホスフィン化合物又は有機ホスホニウム化合物を含む触媒／リガンド系、
ｂ）リチウム塩である塩基、
ｃ）溶剤又は溶剤の混合物
の存在で実施される方法であって、
前記有機ホスフィンが、式
【化１】
2012528214.tif 000001
［式中、Ｘは、Ｙとは独立して、窒素原子又はＣ−Ｒ2基を示し、かつＹは、Ｘとは独立して、窒素原子又はＣ−Ｒ9基を示し、２つのＲ1基のそれぞれのＲ1は、他とは独立して、Ｃ1〜Ｃ24−アルキル基、Ｃ3〜Ｃ20−シクロアルキル基（特に一環の、二環の及び三環のシクロアルキル基を含む）、Ｃ5〜Ｃ14−アリール基（特にフェニル基、ナフチル基、フルオレニル基を含む）、Ｃ2〜Ｃ13−ヘテロアリール基から選択される基を示し、Ｎ基、Ｏ基、Ｓ基から選択されるヘテロ原子の数が１〜２である２つの基Ｒ1は互いに結合してもよく、かつ前記基Ｒ1は、それ自体、それぞれ、互いに独立して、水素基、Ｃ1〜Ｃ20−アルキル基、Ｃ2〜Ｃ20−アルケニル基、Ｃ3〜Ｃ8−シクロアルキル基、Ｃ2〜Ｃ9−ヘテロ−アルキル基、Ｃ5〜Ｃ10−アリール基、Ｃ2〜Ｃ9−ヘテロアリール基、（その際Ｎ基、Ｏ基、Ｓ基からのヘテロ原子の数は１〜４であってよい）、Ｃ1〜Ｃ20−アルコキシ基、Ｃ1〜Ｃ10−ハロアルキル基、ヒドロキシ基、ＮＨ−（Ｃ1〜Ｃ20−アルキル）基、ＮＨ−（Ｃ5〜Ｃ10−アリール）基、Ｎ（Ｃ1〜Ｃ20−アルキル）2基、Ｎ（Ｃ1〜Ｃ20−アルキル）（Ｃ5〜Ｃ10−アリール）基、Ｎ（Ｃ5〜Ｃ10−アリール）2基、Ｎ（Ｃ1〜Ｃ20−アルキル／Ｃ5〜Ｃ10−アリール3）3+基、ＮＨ−ＣＯ−Ｃ1〜Ｃ20−アルキル基、ＮＨ−ＣＯ−Ｃ5〜Ｃ10−アリール基の形のアミノ基、ＣＯＯＨ及びＣＯＯＱ（Ｑは一価のカチオン又はＣ1〜Ｃ8−アルキルを示す）の形のカルボキシレート基、Ｃ1〜Ｃ6−アシルオキシ基、スルフィネート基、ＳＯ3Ｈ及びＳＯ3Ｑ’（Ｑ’は一価のカチオン、Ｃ1〜Ｃ20−アルキル基、又はＣ5〜Ｃ10−アリール基を示す）の形のスルホネート基、トリ−Ｃ1〜Ｃ6−アルキルシリル基から選択される置換基によって一置換又は多置換されてよく、前記置換基の２つは互いに架橋されてもよく、Ｒ2〜Ｒ9は、水素基、アルキル基、アルケニル基、シクロアルキル基、芳香族又はヘテロ芳香族アリール基、Ｏ−アルキル基、ＮＨ−アルキル基、Ｎ−（アルキル）2基、Ｏ−（アリール）基、ＮＨ−（アリール）基、Ｎ−（アルキル）（アリール）基、Ｏ−ＣＯ−アルキル基、Ｏ−ＣＯ−アリール基、Ｆ基、Ｓｉ（アルキル）3基、ＣＦ3基、ＣＮ基、ＣＯ2Ｈ基、ＣＯＨ基、ＳＯ3Ｈ基、ＣＯＮＨ2基、ＣＯＮＨ（アルキル）基、ＣＯＮ（アルキル）2基、ＳＯ2（アルキル）基、ＳＯ（アルキル）基、ＳＯ（アリール）基、ＳＯ2（アリール）基、ＳＯ3（アルキル）基、ＳＯ3（アリール）基、Ｓ−アルキル基、Ｓ−アリール基、ＮＨ−ＯＨ（アルキル）基、ＣＯ2（アルキル）基、ＣＯＮＨ2基、ＣＯ（アルキル）基、ＮＨＣＯＨ基、ＮＨＣＯ2（アルキル）基、ＣＯ（アリール）基、ＣＯ2（アリール）基を示し、２つ以上の隣接した基は、それぞれ他と独立して、縮合した環系が存在するように互いに連結してもよく、かつＲ2〜Ｒ9におけるアルキルはそれぞれの場合において直鎖又は分枝鎖であってよい炭素原子１〜２０個を有する炭化水素基を示し、アルケニルはそれぞれの場合において直鎖又は分枝鎖であってよい炭素原子２〜２０個を有するモノ又はポリ不飽和炭化水素基を示し、シクロアルキルは炭素原子３〜２０個を有する炭化水素を示し、アリールは５〜１４員環の芳香族基を示し、アリール基における炭素原子１〜４個は、窒素基、酸素基及���硫黄基からのヘテロ原子によって５〜１４員環のヘテロ芳香族基が存在するように置換されてもよく、基Ｒ2〜Ｒ9は、Ｒ1に関して定義されたようにさらなる置換を実施してもよい］の三置換したホスフィン、又はそれらのホスホニウム塩であることを特徴とする方法。
【請求項２】
前記塩基が、リチウムアルコキシド、リチウムヒドロキシド、カルボキシレート、カルボネート、フルオリド及び／又はホスフェートから選択される、請求項１に記載の方法。
【請求項３】
前記塩基がＬｉＯＨ又はＬｉＯＨｘＨ2Ｏである、請求項２に記載の方法。
【請求項４】
Ｘが、ＣＲ2基を示し、かつＹがＣＲ9基を示すか、又はＸが窒素を示し、かつＹがＣＲ9基を示し、Ｒ1がフェニル基、Ｃ1〜Ｃ10アルキル基、シクロペンチル基、シクロヘキシル基、シクロヘプチル基、１−アダマンチル基、２−アダマンチル基、５Ｈ−ジベンゾ−ホスホリル基、９−ホスホビシクロ［３．３．１］ノナニル基、及び９−ホスファ−ビシクロ［４．２．１］ノナニル基からなる基から選択され、Ｒ2〜Ｒ9が、水素基、Ｃ1〜Ｃ10アルキル基、Ｃ2〜Ｃ10アルケニル基、Ｃ1〜Ｃ10ハロアルキル基、Ｃ3〜Ｃ8シクロアルキル基、Ｃ6〜Ｃ10アリール基、及びＣ2〜Ｃ6ヘテロアリール基からなる基から選択され、窒素原子１〜３個又は酸素もしくは硫黄原子は、ヘテロ原子として存在してよく、かつ２つの隣接する基Ｒ2〜Ｒ9は互いに架橋してよい、請求項１から３までのいずれか１項に記載の方法。
【請求項５】
前記有機ホスフィンが、式
【化２】
2012528214.tif 000002
【表１】
2012528214.tif 000003
の三置換したホスフィンである、請求項４に記載の方法。
【請求項６】
前記パラジウム触媒が、パラジウム（ＩＩ）ハロゲン化物、パラジウム（ＩＩ）カルボキシレート、パラジウム（ＩＩ）ジケトネート、Ｐｄ2（ｄｂａ）3、Ｐｄ（ｄｂａ）2、Ｐｄ（ＰＲ3）2、Ｐｄ（ＯＡｃ）2、ＰｄＣｌ2（ＰＲ3）2、ＰｄＣｌ2（ＰｈＣＮ）2、ＰｄＣｌ2（ＣＨ3ＣＮ）、又はＰｄＣｌ2（ＣＯＤ）から選択され、ＰＲ3が請求項１に記載の式ＶＩの化合物である、請求項１から５までのいずれか１項に記載の方法。
【請求項７】
前記溶剤が、トルエン、キシレン、アニソール、ＴＨＦ、２−メチルテトラヒドロフラン、ジオキサン、クロロベンゼン、フルオロベンゼン又はこれらの溶剤の１つ以上の混合物、又はこれらの溶剤の１つ以上の混合物及び／又は水との混合物から選択される、請求項１から６までのいずれか１項に記載の方法。
【請求項８】
前記溶剤が、ＴＨＦ又はＴＨＦ／水から選択される、請求項７に記載の方法。
【請求項９】
（複素環式芳香族）化合物の官能性ハロゲン化物基及びホウ素基が、場合により置換され、かつ場合により他の環と融合される５員環の複素環式芳香族環に結合される、請求項１から８までのいずれか１項に記載の方法。
【請求項１０】
少なくとも１つの前記複素環式芳香族化合物が、式
【化３−１】
2012528214.tif 000004
【化３−２】
2012528214.tif 000005
【化３−３】
2012528214.tif 000006
【化３−４】
2012528214.tif 000007
【化３−５】
2012528214.tif 000008
【化３−６】
2012528214.tif 000009
【化３−７】
2012528214.tif 000010
［式中、Ｒ1'及びＲ2'は、同一又は異なってよく、かつ水素、Ｃ1〜Ｃ100アルキル基、−ＣＯＯＲ124'、Ｃ1〜Ｃ100アルキル基（このアルキル基は、１つ以上のハロゲン原子、水素基、ニトロ基、−ＣＮ又はＣ6〜Ｃ18アリール基で置換され、かつ／又は−Ｏ−、−ＣＯＯ−、−ＯＣＯ又は−Ｓ−で中断されている）、Ｃ7〜Ｃ100アリールアルキル基、カルバモイル基、Ｃ5〜Ｃ12シクロアルキル基（このシクロアルキル基は、Ｃ1〜Ｃ8アルキル及び／又はＣ1〜Ｃ8シクロアルキルで１〜３回置換されてよい）、Ｃ6〜Ｃ24アリール基、特にフェニル又は１−もしくは２−ナフチル（前記アリール基は、Ｃ1〜Ｃ8アルキル、Ｃ1〜Ｃ24チオアルコキシ及び／又はＣ1〜Ｃ24アルコキシで１〜３回置換されてよい）、又はペンタフルオロフェニルから選択され、Ｒ124'は、Ｃ1〜Ｃ50アルキル基、特にＣ4〜Ｃ25アルキル基であり、
特に、水素基、又はＣ1〜Ｃ100アルキル基、より特にＣ8〜Ｃ36アルキル基であり、
Ｒ123は場合により１つ以上の酸素原子で中断されていてよいＣ1〜Ｃ25アルキル基、特にＣ6〜Ｃ25アルキル基、又はＣ1〜Ｃ25アルコキシ基であり、
Ｒ99は、場合により１つ以上の酸素原子によって中断されていてよいＣ1〜Ｃ25アルキル基、特にＣ6〜Ｃ25アルキル基であり、
Ｘ1及びＸ2の１つはＮであり、他方はＣＨであり、
Ｒ116は、Ｈ、又はＣ1〜Ｃ25アルキル基、又はＣ1〜Ｃ8アルキル及び／又はＣ1〜Ｃ24アルコキシで１〜３回置換されていてよいフェニル基であり、
Ｘ11は、互いに独立して、−Ｂ（ＯＨ）2、−Ｂ（ＯＹ1）2、−Ｂ（ＯＨ）3−、−ＢＦ3−、
【化４】
2012528214.tif 000011
であり、
Ｙ1は互いに独立してＣ1〜Ｃ10アルキル基であり、かつＹ2は互いに独立してＣ2〜Ｃ10アルキレン基、例えば−ＣＹ3Ｙ4−ＣＹ5Ｙ6−、又は−ＣＹ7Ｙ8−Ｙ9Ｙ10−ＣＹ11Ｙ12−であり、
Ｙ3、Ｙ4、Ｙ5、Ｙ6、Ｙ7、Ｙ8、Ｙ9、Ｙ10、Ｙ11及びＹ12は、互いに独立して、水素、又はＣ1〜Ｃ10アルキル基、特に−Ｃ（ＣＨ3）2Ｃ（ＣＨ3）2−、−Ｃ（ＣＨ3）2ＣＨ2Ｃ（ＣＨ3）2−又は−ＣＨ2Ｃ（ＣＨ3）2ＣＨ2−であり、かつＹ13及びＹ14は、互いに独立して、水素又はＣ1〜Ｃ10アルキル基であり、
Ｘ11'は、ハロゲン、例えばＢｒ、Ｃｌ、又はＩ、特にＢｒである］の化合物から選択される、請求項９に記載の方法。
【請求項１１】
少なくとも１つの前記（複素環式）芳香族化合物が、式
【化５−１】
2012528214.tif 000012
【化５−２】
2012528214.tif 000013
【化５−３】
2012528214.tif 000014
［式中、
Ｘ7は、−Ｏ−、−Ｓ−、−ＮＲ115−又は−Ｓｉ（Ｒ117）2−であり、
ａは、１〜５、特に１〜３の整数であり、
Ｘ1及びＸ2の１つはＮであり、他方はＣＨであり、
Ｘ5及びＸ6の１つはＮであり、他方はＣＲ14であり、
Ａｒ1は、アリーレン基、例えば
【化６】
2012528214.tif 000015
又はヘテロアリーレン基であり、Ａｒ4とは異なり、
Ｒ115は、Ｈ、Ｃ1〜Ｃ25アルキル基、又はＣ1〜Ｃ8アルキル及び／又はＣ1〜Ｃ24アルコキシで１〜３回置換されていてよいフェニル基であり、Ｒ117は、Ｃ1〜Ｃ25アルキル基、特にＣ1〜Ｃ10アルキル基であり、
Ｒ12及びＲ12'は、互いに独立して、水素、ハロゲン、Ｃ1〜Ｃ25アルキル基、特にＣ4〜Ｃ25アルキル基（このアルキル基は場合により１つ以上の酸素又は硫黄原子によって中断されていてよい）、Ｃ1〜Ｃ25アルコキシ基、Ｃ7〜Ｃ25アリールアルキル基、又は
【化７】
2012528214.tif 000016
［式中、Ｒ13はＣ1〜Ｃ10アルキル基又はトリ（Ｃ1〜Ｃ8アルキル）シリル基である］であり、
Ｒ15及びＲ15'は、互いに独立して、Ｈ、又は場合により１つ以上の酸素原子によって中断されていてよいＣ1〜Ｃ25アルキル基、特にＣ6〜Ｃ25アルキル基であり、かつ
Ｒ14は、場合により１つ以上の酸素原子によって中断されていてよいＣ1〜Ｃ25アルキル基、特にＣ6〜Ｃ25アルキル基、又はＣ1〜Ｃ25アルコキシ基であり、
Ｒ18及びＲ18'は、互いに独立して、水素、ハロゲン、Ｃ1〜Ｃ25アルキル基、特にＣ4〜Ｃ25アルキル基（このアルキル基は場合により１つ以上の酸素又は硫黄原子によって中断されていてよい）、Ｃ7〜Ｃ25アラルキル基、又はＣ1〜Ｃ25アルコキシ基であり、
Ｒ19は、水素、Ｃ7〜Ｃ25アラルキル基、Ｃ6〜Ｃ18アリール基；Ｃ1〜Ｃ18アルキル又はＣ1〜Ｃ18アルコキシで置換されているＣ6〜Ｃ18アリール基；又は場合により１つ以上の酸素又は硫黄原子によって中断されていてよいＣ1〜Ｃ25アルキル基、特にＣ4〜Ｃ25アルキル基であり、
Ｒ20及びＲ20'は、互いに独立して、水素、Ｃ7〜Ｃ25アラルキル基、場合により１つ以上の酸素又は硫黄原子によって中断されていてよいＣ1〜Ｃ25アルキル基、特にＣ4〜Ｃ25アルキル基であり、
Ｘ11は、互いに独立して、−Ｂ（ＯＨ）2、−Ｂ（ＯＹ1）2、−Ｂ（ＯＨ）3−、−Ｂ（Ｆ）3−、
【化８】
2012528214.tif 000017
−ＢＦ4Ｎａ又は−ＢＦ4Ｋであり、Ｙ1は互いに独立してＣ1〜Ｃ10アルキル基であり、かつＹ2は互いに独立してＣ2〜Ｃ10アルキレン基、例えば−ＣＹ3Ｙ4−ＣＹ5Ｙ6−、又は−ＣＹ7Ｙ8−Ｙ9Ｙ10−ＣＹ11Ｙ12−であり、
その際Ｙ3、Ｙ4、Ｙ5、Ｙ6、Ｙ7、Ｙ8、Ｙ9、Ｙ10、Ｙ11及びＹ12は、互いに独立して、水素、又はＣ1〜Ｃ10アルキル基、特に−Ｃ（ＣＨ3）2Ｃ（ＣＨ3）2−、−Ｃ（ＣＨ3）2ＣＨ2Ｃ（ＣＨ3）2−又は−ＣＨ2Ｃ（ＣＨ3）2ＣＨ2−であり、
かつＹ13及びＹ14は、互いに独立して、水素又はＣ1〜Ｃ10アルキル基であり、
Ｘ11'は、ハロゲン、例えば、Ｂｒ、Ｃｌ、又はＩ、特にＢｒである］の化合物から選択される、請求項１から８までのいずれか１項に記載の方法。
【請求項１２】
請求項１から１１までのいずれか１項に記載の方法によって得られる共役ポリマー又はコポリマー。
【請求項１３】
請求項１２に記載の１つ以上のポリマーを含む、半導体又は電荷輸送材料、素子又は装置。
【請求項１４】
光学、電気工学、電子の半導体もしくは電場発光（ＥＬ）の素子又は装置、有機電界効果トランジスタ（ＯＦＥＴ）、集積回路（ＩＣ）、薄膜トランジスタ（ＴＦＴ）、平面パネルディスプレイ、無線周波数識別（ＲＦＩＤ）タグ、電場発光もしくは光輝性の装置又は素子、有機発光ダイオード（ＯＬＥＤ）、ディスプレイのバックライト、光起電性装置もしくはセンサー装置、電荷注入層、Ｓｃｈｏｔｔｋｙダイオード、平面化層、静電防止フィルム、導電性の基材又はパターン、バッテリーの電極材料、光伝導体、電子写真適用、電子写真記録、有機記憶装置、アライメント層、化粧品組成物又は医薬品組成物、バイオセンサー、バイオチップ、セキュリティーマーキング、重合可能な液体結晶材料、液体結晶ポリマー、電荷輸送の特性を有する異方性ポリマーフィルム、又はＤＮＡ配列を検出及び選別するための方法もしくは装置における、電荷輸送材料、半導体材料、導電性材料、光導電性材料又は発光材料としての、請求項１２又は１３に記載の、ポリマー、材料、素子、又は装置の使用。
【請求項１５】
請求項１２又は１３に記載のポリマー、材料、素子又は装置を含む、光学の、電気工学のもしくは電子の装置、ＯＦＥＴ、ＩＣ、ＴＦＴ、平面パネルディスプレイのためのＴＦＴアレイ、ＲＦＩＤタグ、ＯＬＥＤ、ＥＬディスプレイ、バックライト又はアライメント層。
【誤訳訂正２】
【訂正対象書類名】明細書
【訂正対象項目名】００１０
【訂正方法】変更
【訂正の内容】
【００１０】
前記目的は、少なくとも１つの官能性ハロゲン化物基及び少なくとも１つの官能性ホウ素基を有する（複素環式）芳香族化合物をアリール−アリールＣ−Ｃカップリングの形成下で重合するため、又は少なくとも１つの第一の及び少なくとも１つの第二の（複素環式）芳香族化合物をアリール−アリールＣ−Ｃカップリングの形成下で共重合するための方法において、第一の化合物が少なくとも２つの官能性ハロゲン化物基を有し、かつ第二の化合物が少なくとも２つの官能性ホウ素基を有し、前記重合が、
ａ）パラジウム触媒及び有機ホスフィン化合物又は有機ホスホニウム化合物を含む触媒／リガンド系、
ｂ）塩基、
ｃ）溶剤又は溶剤の混合物
の存在で実施される方法であって、
前記有機ホスフィンが、式
【化２】
2012528214.tif 000018
［式中、Ｘは、Ｙとは独立して、窒素原子又はＣ−Ｒ2基を示し、かつＹは、Ｘとは独立して、窒素原子又はＣ−Ｒ9基を示し、２つのＲ1基のそれぞれのＲ1は、他とは独立して、Ｃ1〜Ｃ24−アルキル基、Ｃ3〜Ｃ20−シクロアルキル基（特に一環の、二環の及び三環のシクロアルキル基を含む）、Ｃ5〜Ｃ14−アリール基（特にフェニル基、ナフチル基、フルオレニル基を含む）、Ｃ2〜Ｃ13−ヘテロアリール基から選択される基を示し、Ｎ基、Ｏ基、Ｓ基から選択されるヘテロ原子の数は１〜２であり、２つの基Ｒ1は互いに結合してもよく、かつ前記基Ｒ1は、それ自体、それぞれ、互いに独立して、水素基、Ｃ1〜Ｃ20−アルキル基、Ｃ2〜Ｃ20−アルケニル基、Ｃ3〜Ｃ8−シクロアルキル基、Ｃ2〜Ｃ9−ヘテロ−アルキル基、Ｃ5〜Ｃ10−アリール基、Ｃ2〜Ｃ9−ヘテロアリール基、（その際Ｎ基、Ｏ基、Ｓ基からのヘテロ原子の数は１〜４であってよい）、Ｃ1〜Ｃ20−アルコキシ基、Ｃ1〜Ｃ10−ハロアルキル基、ヒドロキシ基、ＮＨ−（Ｃ1〜Ｃ20−アルキル）基、ＮＨ−（Ｃ5〜Ｃ10−アリール）基、Ｎ（Ｃ1〜Ｃ20−アルキル）2基、Ｎ（Ｃ1〜Ｃ20−アルキル）（Ｃ5〜Ｃ10−アリール）基、Ｎ（Ｃ5〜Ｃ10−アリール）2基、Ｎ（Ｃ1〜Ｃ20−アルキル／Ｃ5〜Ｃ10−アリール3）3+基、ＮＨ−ＣＯ−Ｃ1〜Ｃ20−アルキル基、ＮＨ−ＣＯ−Ｃ5〜Ｃ10−アリール基の形のアミノ基、ＣＯＯＨ及びＣＯＯＱ（Ｑは一価のカチオン又はＣ1〜Ｃ8−アルキルを示す）の形のカルボキシレート基、Ｃ1〜Ｃ6−アシルオキシ基、スルフィネート基、ＳＯ3Ｈ及びＳＯ3Ｑ’（Ｑ’は一価のカチオン、Ｃ1〜Ｃ20−アルキル基、又はＣ5〜Ｃ10−アリール基を示す）の形のスルホネート基、トリ−Ｃ1〜Ｃ6−アルキルシリル基から選択される置換基によって一置換又は多置換されてよく、前記置換基の２つは互いに架橋されてもよく、Ｒ2〜Ｒ9は、水素基、アルキル基、アルケニル基、シクロアルキル基、芳香族又は複素環式芳香族アリール基、Ｏ−アルキル基、ＮＨ−アルキル基、Ｎ−（アルキル）2基、Ｏ−（アリール）基、ＮＨ−（アリール）基、Ｎ−（アルキル）（アリール）基、Ｏ−ＣＯ−アルキル基、Ｏ−ＣＯ−アリール基、Ｆ基、Ｓｉ（アルキル）3基、ＣＦ3基、ＣＮ基、ＣＯ2Ｈ基、ＣＯＨ基、ＳＯ3Ｈ基、ＣＯＮＨ2基、ＣＯＮＨ（アルキル）基、ＣＯＮ（アルキル）2基、ＳＯ2（アルキル）基、ＳＯ（アルキル）基、ＳＯ（アリール）基、ＳＯ2（アリール）基、ＳＯ3（アルキル）基、ＳＯ3（アリール）基、Ｓ−アルキル基、Ｓ−アリール基、ＮＨ−ＯＨ（アルキル）基、ＣＯ2（アルキル）基、ＣＯＮＨ2基、ＣＯ（アルキル）基、ＮＨＣＯＨ基、ＮＨＣＯ2（アルキル）基、ＣＯ（アリール）基、ＣＯ2（アリール）基を示し、２つ以上の隣接した基は、それぞれ他と独立して、縮合した環系が存在するように互いに連結してもよく、かつＲ2〜Ｒ9におけるアルキルはそれぞれの場合において直鎖又は分枝鎖であってよい炭素原子１〜２０個を有する炭化水素基を示し、アルケニルはそれぞれの場合において直鎖又は分枝鎖であってよい炭素原子２〜２０個を有するモノ又はポリ不飽和炭化水素基を示し、シクロアルキルは炭素原子３〜２０個を有する炭化水素を示し、アリールは５〜１４員環の芳香族基を示し、アリール基における炭素原子１〜４個は、窒素基、酸素���及び硫黄基からのヘテロ原子によって５〜１４員環の複素環式芳香族基が存在するように置換されてもよく、Ｒ2〜Ｒ9基は、Ｒ1に関して定義されたようにさらなる置換を実施してもよい］の三置換したホスフィン、又はそれらのホスホニウム塩であることを特徴とする方法によって解決される。
【誤訳訂正３】
【訂正対象書類名】明細書
【訂正対象項目名】００１３
【訂正方法】変更
【訂正の内容】
【００１３】
本発明は、さらに、光学、電気工学、電子の半導体もしくは電場発光（ＥＬ）の素子又は装置、有機電界効果トランジスタ（ＯＦＥＴ）、集積回路（ＩＣ）、薄膜トランジスタ（ＴＦＴ）、平面パネルディスプレイ、無線周波数識別（ＲＦＩＤ）タグ、電場発光もしくは光輝性の装置又は素子、有機発光ダイオード（ＯＬＥＤ）、ディスプレイのバックライト、光起電性装置もしくはセンサー装置、電荷注入層、Ｓｃｈｏｔｔｋｙダイオード、平面化層、静電防止フィルム、導電性の基材又はパターン、バッテリーの電極材料、光伝導体、電子写真適用、電子写真記録、有機記憶装置、アライメント層、化粧品組成物又は医薬品組成物、バイオセンサー、バイオチップ、セキュリティーマーキング、重合可能な液体結晶材料、液体結晶ポリマー、電荷輸送の特性を有する異方性ポリマーフィルム、又はＤＮＡ配列を検出及び選別するための方法もしくは装置における、電荷輸送材料、半導体材料、導電性材料、光導電性材料又は発光材料としての、本発明による材料、ポリマー、素子又は装置の使用に関する。